(57)【要約】      （修正有）【課題】ソファーベッドのリクライニング装置における安全性の問題を可及的に解決したソファーベッド用の起伏装置を提供する。【解決手段】ソファー状態において座部を形成する固定枠と、同状態において背凭れ部を形成する起伏枠とを少なくとも備えるソファーベッドに用いる起伏装置であって、固定枠に固定される第１ブラケット１と、起伏枠に固定される第２ブラケット２と、起伏する方向に回動した第２ブラケット２に係止して前記回動した角度を保持する係止部材４と、第１ブラケット１と第２ブラケット２を連結する中間部材５，６とを有し、前記中間部材５，６の一端は第１ブラケット１に対して枢支ピン１３，１４で枢着されて回動可能に取り付けられると共に、中間部材５，６の他端は第２ブラケット２に対して枢着ピン２３，２４で枢着されて回動可能に取り付けられることを特徴とする起伏装置である。【選択図】図２
0003149180.tif 000002
【実用新案登録請求の範囲】
【請求項１】
ソファー状態において座部Ｄを形成する固定枠Ａと、同状態において背凭れ部Ｅを形成する起伏枠Ｃとを少なくとも備えるソファーベッドに用いる起伏装置であって、固定枠Ａに固定される第１ブラケット１と、起伏枠Ｃに固定される第２ブラケット２と、起伏する方向に回動した第２ブラケット２に係止して前記回動した角度を保持する係止部材４と、第１ブラケット１と第２ブラケット２を連結する中間部材５とを有し、前記中間部材５の一端は第１ブラケット１に対して枢支ピン１３で枢着されて回動可能に取り付けられると共に、中間部材５の他端は第２ブラケット２に対して枢着ピン２３で枢着されて回動可能に取り付けられることを特徴とする起伏装置。
【請求項２】
ソファー状態において座部Ｄを形成する固定枠Ａと、同状態において背凭れ部Ｅを形成する起伏枠Ｃと、固定枠Ａと起伏部Ｃとの間に配置される中間枠Ｂとを少なくとも備えるソファーベッドに用いる起伏装置であって、固定枠Ａに固定される第１ブラケット１と、起伏枠Ｃに固定される第２ブラケット２と、中間枠Ｂに固定される第３ブラケット３と、起伏する方向に回動した第２ブラケット２に形成された係止ピン２５に係止して前記回動した角度を保持する係止部材４と、第１ブラケット１と第２ブラケット２を連結する中間部材５とを有し、前記中間部材５の一端は第１ブラケット１に対して枢支ピン１３で枢着されて回動可能に取り付けられ、中間部材５の他端は第２ブラケット２に対して枢着ピン２３で枢着されて回動可能に取り付けられ、中間部材５は一端と他端の間である中間部分において第３ブラケットに固定されていることを特徴とする起伏装置。
【請求項３】
係止部材４は中間部材５に対して枢着されて回動可能に取り付けられると共に付勢手段Ｓにより係止ピン２５の方向に付勢されたことを特徴とする請求項１又は２のいずれかに起伏装置。
【請求項４】
第１ブラケット１と第２ブラケット２を連結する第一中間部材５と第二中間部材６を有し、前記第一中間部材５の一端は第１ブラケット１の上端部に対して枢支ピン１３を介して回動可能に取り付けられると共に、第一中間部材５の他端は第２ブラケット２の下端部に対して枢支ピン２３を介して回動可能に取り付けられ、前記第二中間部材６の一端は第１ブラケット１の下端部に対して枢支ピン１４を介して回動可能に取り付けられると共に、第二中間部材６の他端は第２ブラケット２の上端部に対して枢支ピン２４を介して回動可能に取り付けられたことを特徴とする請求項１から３のいずれかに記載の起伏装置。
【請求項５】
ソファー状態において座部Ｄを形成する固定枠Ａと、同状態において背凭れ部Ｅを形成する起伏枠Ｃと、固定枠Ａと起伏枠Ｃとの間に配置される中間枠Ｂとを少なくとも備えるソファーベッドに用いる起伏装置であって、固定枠Ａに固定される第１ブラケット１と、起伏枠Ｃに固定される第２ブラケット２と、中間枠Ｂに固定される第３ブラケット３と、起伏する方向に回動した第２ブラケット２に形成された係止ピン２５に係止して前記回動した角度を保持する係止部材４と、第１ブラケット１と第２ブラケット２を連結する帯板状の第一中間部材５と帯板状の第二中間部材６を有し、前記第一中間部材５の一端は第１ブラケット１の上端部に対して枢支ピン１３を介して回動可能に取り付けられると共に、第一中間部材５の他端は第２ブラケット２の下端部に対して枢支ピン２３で枢着されて回動可能に取り付けられ、前記第二中間部材６の一端は第１ブラケット１の下端部に対して枢支ピン１４を介して回動可能に取り付けられ、第二中間部材６の他端は第２ブラケット２の上端部に対して枢着ピン２４を介して回動可能に取り付けられ、中間部材５は一端と他端の間である中間部分において第３ブラケット３に固定されていることを特徴とする起伏装置。
【請求項６】
係止部材４は第一中間部材５に対して枢支されて回動可能であることを特徴とする請求項４又は５に記載の起伏装置。
【請求項７】
中間部材は、複数の独立した部分を連結してなる中間部材であって、前記各部分に長さ調整用の並列した複数の孔を穿孔したことを特徴とする請求項１から５のいずれかに記載の起伏装置。
【請求項８】
請求項１から７のいずれかに記載の起伏装置を備えたソファーベッド。
【考案の詳細な説明】
【技術分野】
【０００１】
本考案はソファーベッドに用いられる起伏装置に関する。
【背景技術】
【０００２】
ソファーベッドは、背凭れ部を起立させることによりソファー状態になる一方、背凭れ部を倒伏させることによりベッド状態になるものである。この起伏操作は、座部と背凭れ部との間に配設された起伏装置によって行われる。
【０００３】
従来のソファーベッドは、図１１に示すとおり、ソファー状態における座部側の固定枠４と、背凭れ部側の起伏枠５とを起伏装置により連結し、起伏枠４を固定枠５に対して起伏可能にしている。この起伏装置は、固定枠４に取付けられた固定ブラケット７と、枢支ピン８によって固定ブラケット７と枢支連結され、起伏枠５に取付けられた起伏ブラケット９と、固定ブラケット７に枢着ピン１０により枢着され、起伏ブラケット９側に設けられた係止ピン１１に係脱自在に係止される係止レバー１２と、この係止レバー１２を係止ピン１１との係止側に付勢するバネ１３等からなり、係止レバー１２の遊端側には係合溝１２ａが設けられていると共に保持爪１２ｂが枢着されている。
【０００４】
従来のソファーベッドは、ベッド状態では、起伏ブラケット９が倒伏し、係止レバー１２はそのベッド状態用ピン係合溝１２ｃが係止ピン１０に係合する。このベッド状態から背凭れ部３を起こして、起伏ブラケット９を回動させると、所定の角度位置で係止レバー１２の係合溝１２ａが係止ピン１１に係合して爪１２ｂにより保持され、それによって背凭れ部３が所定の起立姿勢に保持される。また、この起立姿勢から背凭れ部３を更に起こした後、そのまま後方へ倒すことにより、背凭れ部３が倒伏して、ベッド状態になる。
【特許文献１】実用登録３００４３９１号公報
【考案の開示】
【考案が解決しようとする課題】
【０００５】
ところが、起伏ブラケット９と、固定ブラケット７とを枢着ピン１０より枢着して回動可能にする構成を採用したソファーベッドの場合、ソファー状態からベッド状態に至る際に、座部（固定ブラケット７）と背凭れ部（起伏ブラケット９）との間に形成される傾斜角が急になるため、固定枠４（又は固定ブラケット７）と起伏枠５（又は起伏ブラケット９）の間等に指を挟み込んで怪我をする危険性がある（第１の課題）。
【０００６】
また、従来のソファーベッドは、ベッド状態において短手方向（ベッド状態の幅方向）の中央位置において長手方向（ベッド状態の長さ方向）に沿って縦溝が生じやすく（固定枠４（又は固定ブラケット７）と起伏枠５（又は起伏ブラケット９）の間隙が生じる）、その結果、ベッドで横になった使用者の背中の中央部分に溝が生じる為、必ずしも快適な状態で就寝できるものではなかった（第２の課題）。
【０００７】
そこで、本考案は上記問題を解決することを課題とする（なお、上記の符合は全て図１１におけるものである）。
【課題を解決するための手段】
【０００８】
本考案は、従来の起伏装置における上述した第１の課題を解決するものであって、ソファー状態において座部を形成する固定枠Ａと、同状態において背凭れ部を形成する起伏枠Ｃとを少なくとも備えるソファーベッドに用いる起伏装置であって、固定枠Ａに固定される第１ブラケット１と、起伏枠Ｃに固定される第２ブラケット２と、起伏する方向に回動した第２ブラケット２に係止して前記回動した角度を保持する係止部材４と、第１ブラケット１と第２ブラケット２を連結する中間部材５（６）とを有し、前記中間部材５（６）の一端は第１ブラケット１に対して枢支ピン１３（１４）で枢着されて回動可能に取り付けられると共に、中間部材５（６）の他端は第２ブラケット２に対して枢着ピン２３（２４）で枢着されて回動可能に取り付けられることを特徴とする起伏装置である（請求項１）。
【０００９】
本考案は、座部Ｄを構成する固定枠Ａに固定された第一ブラケット１と、背凭れ部Ｅを構成する起伏枠Ｃに固定された第二ブラケット２の間に両者を連結する中間部材５（６）を設けており、しかも、中間部材５（６）の一端を第１ブラケット１に対して回動可能に取り付けると共に、他端を第２ブラケット２に対して回動可能に取り付ける構造のため、図９、１０に示すように、座部Ｄと背凭れ部Ｅの間に腰当部Ｆを設けることができる。そして、枢支ピン１３（１４）における中間部材５（６）の回動によって腰当部Ｆの傾斜角度αを形成する一方、枢着ピン２３（２４）における第２ブラケット２の回動によって背凭れ部Ｅの傾斜角度βを形成し、両角度を異なるように構成ができるものである。
【００１０】
したがって、従来技術のように、腰当部Ｆの存在しないものに比較して座り心地が良い。また、従来技術のように、座部を構成する固定枠に取り付けられた固定ブラケットと、背凭れ部を構成する起伏枠に取り付けられた起伏ブラケットからなる起伏装置を備えたソファーベッドにおける傾斜角に比較して、本考案は前記角度α及びβは各々緩やかにすることができ、指を挟み込んで怪我をする危険性を低減できる
また、本考案は、好ましくは、図１０に示すとおり、腰当部Ｆの両側に位置する座部Ｄと背凭れ部Ｅの幅を略等しくすることができる。このようなものであると、図１０（ａ）のベッド状態において、ベッドで横になった使用者の背中の中央部分に１つの溝が生じることなく、比較的快適な状態で就寝できる。
【００１１】
また、本考案は、好ましくは、ソファー状態において座部Ｄを形成する固定枠Ａと、同状態において背凭れ部Ｅを形成する起伏枠Ｃと、固定枠Ａと起伏部Ｃとの間に配置される中間枠Ｂとを少なくとも備えるソファーベッドに用いる起伏装置であって、固定枠Ａに固定される第１ブラケット１と、起伏枠Ｃに固定される第２ブラケット２と、中間枠Ｂに固定される第３ブラケット３と、起伏する方向に回動した第２ブラケット２に形成された係止ピン２５に係止して前記回動した角度を保持する係止部材４と、第１ブラケット１と第２ブラケット２を連結する中間部材５（６）とを有し、前記中間部材５（６）の一端は第１ブラケット１に対して枢支ピン１３（１４）で枢着されて回動可能に取り付けられ、中間部材５（６）の他端は第２ブラケット２に対して枢着ピン２３（２４）で枢着されて回動可能に取り付けられ、中間部材５（６）は一端と他端の間である中間部分において第３ブラケットに固定されていることを特徴とする起伏装置である（請求項２）。
【００１２】
本考案は、ベッド状態からソファー状態への移行過程における回動により、図９等に示すとおり、腰当部Ｆを構成する中間枠Ｂ（又は／及び第三ブラケット３）の固定枠Ａに対する傾斜角度αを形成する一方、背凭れ部Ｅを構成する起伏枠Ｃ（又は／及び第二ブラケット２）の中間枠Ｂ（又は／及び第三ブラケット３）に対する傾斜角度βを異なるものとすることができる。２段階の傾斜角を設けることにより、従来技術において生じる一段階の急な傾斜角度を構成しないものとなる。すなわち、従来技術のように、固定枠により形成される座部と、起伏枠により形成される背凭れ部からなるソファー状態において、座部と背凭れ部の間に形成される傾斜角度に比して、本考案における固定枠Ａに対する中間枠Ｂの傾斜角度は緩やかにすることができ、中間枠Ｂに対する起伏枠Ｃの斜角度度も緩やかなものにすることができる。
【００１３】
また、本考案は、好ましくは、係止部材４は中間部材５（６）に対して枢着されて回動可能に取り付けられると共に付勢手段Ｓにより係止ピン２５の方向に付勢されたことを特徴とする起伏装置である（請求項３）。
【００１４】
また、本考案は、好ましくは、第１ブラケット１と第２ブラケット２を連結する第一中間部材５と第二中間部材６を有し、前記第一中間部材５の一端は第１ブラケット１の上端部に対して枢支ピン１３を介して回動可能に取り付けられると共に、第一中間部材５の他端は第２ブラケット２の下端部に対して枢支ピン２３を介して回動可能に取り付けられ、前記第二中間部材６の一端は第１ブラケット１の下端部に対して枢支ピン１４を介して回動可能に取り付けられると共に、第二中間部材６の他端は第２ブラケット２の上端部に対して枢支ピン２４を介して回動可能に取り付けられたことを特徴とする起伏装置である（請求項４）。
【００１５】
本考案は、好ましくは、ソファー状態において座部を形成する固定枠Ａと、同状態において背凭れ部を形成する起伏枠Ｃと、固定枠Ａと起伏部Ｃとの間に配置される中間枠Ｂとを少なくとも備えるソファーベッドに用いる起伏装置であって、固定枠Ａに固定される第１ブラケット１と、起伏枠Ｃに固定される第２ブラケット２と、中間枠Ｂに固定される第３ブラケット３と、起伏する方向に回動した第２ブラケット２に形成された係止ピン２５に係止して前記回動した角度を保持する係止部材４と、第１ブラケット１と第２ブラケット２を連結する帯板状の第一中間部材５と帯板状の第二中間部材６を有し、前記第一中間部材５の一端は第１ブラケット１の上端部に対して枢支ピン１３を介して回動可能に取り付けられると共に、第一中間部材５の他端は第２ブラケット２の下端部に対して枢支ピン２３で枢着されて回動可能に取り付けられ、前記第二中間部材６の一端は第１ブラケット１の下端部に対して枢支ピン１４を介して回動可能に取り付けられ、第二中間部材６の他端は第２ブラケット２の上端部に対して枢着ピン２４を介して回動可能に取り付けられ、中間部材５は一端と他端の間である中間部分において第３ブラケットに固定されていることを特徴とする起伏装置である（請求項５）。
【００１６】
また、好ましくは、係止部材４は第一中間部材５に対して枢支されて回動可能であることを特徴とする起伏装置である（請求項６）。
【００１７】
また、好ましくは、中間部材は、複数の独立した部分を連結してなる中間部材であって、前記各部分に長さ調整用の並列した複数の孔を穿孔したことを特徴とする。ソファーベッドの各種の大きさに対応できるため、汎用性の高い起伏装置を構成することができる。
【考案の効果】
【００１８】
このように、本考案は、従来技術に比較して、指を挟み込んで怪我をする危険性を低減できる。また、腰当部の存在によって相対的に座り心地が良い。
【００１９】
また、本考案は、ベッドで横になった使用者の背中の中央部分に１つの溝が生じることなく、比較的快適な状態で就寝できる。
【考案を実施するための最良の形態】
【００２０】
以下、本考案を実施するための最良の形態を、実施例として示す図１〜図１０と共に説明する。
【実施例】
【００２１】
本実施例は、図９、１０に示すとおり、ソファー状態において座部を形成する固定枠Ａと、同状態において背凭れ部を形成する起伏枠Ｃと、固定枠Ａと起伏部Ｃとの間に配置される中間枠Ｂとを備えるソファーベッドに用いる起伏装置Ｒである。
【００２２】
本実施例の起伏装置Ｒは、図９に示すとおり、基本的構成として、座部Ｄを構成する固定枠Ａに固定される第１ブラケット１と、背凭れ部Ｅを構成する起伏枠Ｃに固定される第２ブラケット２と、腰当部Ｆを構成する中間枠Ｂに固定される第３ブラケット３と、図中反時計回りに回動して起伏した第２ブラケット２に形成された係止ピン２５に係止して前記回動した角度を保持する係止部材４と、第１ブラケット１と第２ブラケット２を連結する第一中間部材５と、第１ブラケット１と第２ブラケット２を連結する第二中間部材６を有する。
【００２３】
まず、起伏装置Ｒを取り付ける固定枠Ａ、中間枠Ｂ、起伏枠Ｃについて説明する。
【００２４】
固定枠Ａは、図９に示すように、ソファーベッドのうち座部Ｄを構成する構造物である。起伏枠Ｃは、ソファーベッドのうち背凭れ部Ｅを構成する構造物であり、図９（ｂ）（ｃ）に示すように起伏するものである。中間枠Ｂは、ソファーベッドのうち座部Ｄと背凭れ部Ｅの間に位置する腰当部Ｆを構成する構造物であり、図９（ｂ）（ｃ）に示すように起伏するものである。これらは各々、主に木材等を矩形状ないし箱状に形成したものであり、クッション材や生地等と共にソファーベッド本体を構成するものである。
【００２５】
次に、起伏装置Ｒの各構成について、分解図である図１、図２を参照して説明する。
【００２６】
図１に示すとおり、第１ブラケット１は、固定枠Ａに対してビス等で取り付けられるものであり、底壁部１ａと立壁部１ｂとからなる断面形状Ｌ型に折り曲げられた金属製の板体である。固定枠Ａに固定する固定ビス用の孔のほかに、立壁部１ｂには、第一中間部材５を回動可能に取り付けるための枢支ピン１３用の孔１１と、第二中間部材６を回動可能に取り付けるための枢支ピン１４用の孔１２が穿孔されている。
【００２７】
立壁部１ｂにおいて枢支ピン１３用の孔１１と枢支ピン１４用の孔１２は上下に所定間隔を介して形成されている。具体的には、枢支ピン１３用の孔１１は、第１ブラケット１の上下方向の中央よりも上側の上側部分のうち上端縁付近に形成され、枢支ピン１４用の孔１２は、第１ブラケット１の上下方向の中央よりも下側の下側部分である下端縁付近に形成され且つ枢支ピン１３用の孔１１よりも第２ブラケット２側に近接する位置に形成されている。つまり、略矩形状の板体である第１ブラケット１の後方（第２ブラケット２方向）の角部にそれぞれ形成される。
【００２８】
図１に示すとおり、第３ブラケットである中間ブラケット３は、中間枠Ｂに対してビス等で取り付けられるものであり、底壁部３ａと立壁部３ｂとからなる断面形状Ｌ型に折り曲げられた金属製の板体である。中間枠Ｂに固定する固定ビス用の孔のほかに、立壁部３ｂには、第一中間部材５に固定するための固定ピン３１用の孔３２が穿孔され、また、係止部材４を付勢するバネＳの一端を取り付けるための固定部材であるビス３３用の孔３４が穿孔されている。
【００２９】
図１に示すとおり、第２ブラケット２は、背凭れ部Ｅを構成する起伏枠Ｃに対してビス等で取り付けられるものであり、底壁部２ａと立壁部２ｂとからなる断面形状Ｌ型に折り曲げられた金属製の板体である。起伏枠Ｃに固定する固定ビス用の孔のほかに、立壁部２ｂには、第一中間部材５を回動可能に取り付けるための枢支ピン２３用の孔２１と、第二中間部材６を回動可能に取り付けるための枢支ピン２４用の孔２２と、係止ピン２５の一端を挿入して固定するための係止ピン用の孔２６と、係止ピン２５の他端を固定支持するための支持部材２７を固定する固定ピン２９用の孔２８が穿孔されている。立壁部２ｂにおいて枢支ピン２４用の孔２２と枢支ピン２３用の孔２１は上下に所定間隔を介して形成されている。具体的には、枢支ピン２４用の孔２２は、第２ブラケット２の上下方向の中央よりも上側である上側部分のうち上端縁付近に形成される。枢着ピン２３用の孔２１は、第２ブラケット２の上下方向の中央よりも下側の下側部分のうち下端縁付近に形成される。つまり、略矩形状の板体である第２ブラケット２の前方（第１ブラケット１方向）の角部にそれぞれ形成される。
【００３０】
図１に示すとおり、第一中間部材５は、第１ブラケット１と第２ブラケット２を連結するものであり、部材５ａと部材５ｂとからなる。部材５ａは、直線状の帯状板体で構成され、枢支ピン１３用の孔５１と、所定間隔を介して並列した長さ調整用の孔５２が穿設されている。枢支ピン１３用の孔５１は部材５ａの一端付近に形成され、調整用の孔５２は長手方向中央付近から他端にかけて５つ形成されている。
【００３１】
また、部材５ｂは、くの字形状の帯状板体で構成され、第二ブラケット２を回動可能とする枢支ピン２３用の孔５５と、係止部材４を回動可能とする枢支ピン４１用の孔５６と、中間ブラケット３に固定するための固定ピン３１用の孔５７が穿孔されている。枢支ピン２３用の孔５５は部材５ｂの一端付近に形成され、枢支ピン４１用の孔５６は、くの字の屈曲点付近に形成され、固定ピン３１用の孔５７は、第一中間部材５の一端と他端の間、具体的には、孔５６と孔５４の間に２つ形成されている。
【００３２】
図１に示すとおり、第二中間部材６は、第１ブラケット１と第２ブラケット２を連結するものであり、部材６ａと部材６ｂとからなる。部材６ａは、直線状の帯状板体で構成され、枢支ピン１４用の孔６１と、所定間隔を隔てて並列した長さ調整用の孔６２が穿設されている。枢支ピン１４用の孔６１は部材６ａの一端付近に形成され、調整用の孔６２は長手方向中央付近から他端にかけて５つ形成されている。
【００３３】
また、部材６ｂは、帯状板体で構成され、第二ブラケット２を回動可能とする枢支ピン２４用の孔６３と、調整用の孔６２と対向する位置決めピン６４用の孔６５が穿孔されている。枢支ピン２４用の孔６３は部材６ｂ一端付近に形成され、位置決めピン６４用の孔６５は他端付近に形成されている。
【００３４】
図１に示すとおり、係止部材４は、略くの字状の屈曲した板体である基端部４ａと、略直線状の板体である先端部４ｂとからなる。基端部４ａには、第一中間部材５に対して係止部材４を回動可能とするための枢支ピン４１用の孔４６と、係止部材４を付勢するバネＳの一端を取り付けるための孔４１と、復帰ガイド爪４３ａ，４３ｂを回動可能とするための枢支ピン４２用の孔４５が穿孔されている。また、先端部４ｂの下側端には、係止ピン係合溝４１ａ，４１ｂと、ベッド形態用のピン係合部４４が形成されている。枢支ピン４２ａ，４２ｂを介して揺動自在に取付けられた復帰ガイド爪４３ａ，４３ｂは、ピン係合溝４１ａ，４１ｂの一端を支持する支持部材４６と係止部材４本体との間に位置し、ピン係合溝４１ａ，４１ｂをそれぞれ開閉するように突出している。各復帰ガイド爪４３ａ，４３ｂは、各係合溝４１ａ，４１ｂに係止ピン２５を係止可能な開放姿勢から閉鎖方向には揺動可能であるが、揺動範囲は制限されている。
【００３５】
次に、起伏装置Ｒの動作について、図３及び図６を参照して説明する。
【００３６】
図３（ａ）、図６（ａ）は、ベッド状態における起伏装置Ｒである。この状態から背凭れ部Ｅを持ち上げて傾斜させたソファー状態が図３（ｂ）（ｃ）、図６（ｂ）（ｃ）、である。
【００３７】
図３（ａ）及び図６（ａ）のベッド状態において、係止ピン２５に係止部材４のピン係合部４４が当接している。
【００３８】
図３（ａ）及び図６（ａ）のベッド状態から背凭れ部を起伏させると、第１ブラケット１に枢支ピン１３を介して回動可能に連結された第一中間部材５は、枢支ピン１３を中心に反時計周りに回動し、第一中間部材５に対して固定されている中間ブラケット２も同様に回動し、また、第一中間部材５に対して枢支ピン２３を介して回動可能に連結された第二ブラケット２も回動して起立する。
【００３９】
また、第１ブラケット１に対して回動可能に連結された第二中間部材６も枢支ピン１４を中心に反時計周りに回動し、第二中間部材６に対して回動可能に連結された第二ブラケット２も回動する。
【００４０】
この回動に従って第二ブラケット２に形成された係止ピン２５が係止部材４のピン係合溝４１ａに嵌まり込んで係止し、所定の回動角度が保持される。係止部材４はバネＳにより枢支ピン４１を中心として時計回り方向に付勢されており、係止部材４のピン係合溝４１ａは係止ピン２５に対して圧着すると共に、復帰ガイド爪４３ａによって挟持される。
【００４１】
また、この回動に従って、図３（ａ）に示す第二ブラケット２における枢支ピン２４と枢支ピン２３の位置関係は上方向に並列する関係にあるのに対して（図３（ａ）におけるＸＹ座標系において、枢支ピン２３が（Ｘａ・Ｙｂ）の位置とすれば、枢支ピン２４は（Ｘａ・Ｙｂ＋ｃ）の位置である。）、図３（ｂ）においては、第二ブラケット２における枢支ピン２４と枢支ピン２３の位置関係は斜方向に並列する関係にある（図３（ｂ）におけるＸＹ座標系において、枢支ピン２３が（Ｘｄ・Ｙｅ）（但し、Ｘａ＞Ｘｄ，Ｙｅ＞Ｙｂ）の位置であれば、枢支ピン２４が（Ｘｄ−ｆ・Ｙｅ＋ｇ）（但し、Ｘａ＞Ｘｄ−ｆ  Ｙｅ＋ｇ＞Ｙｂ＋ｃ）の位置にある（なお、図３において、図中Ｘ軸方向の右方向の値が大、左方向の値が小である。また、同図中Ｙ軸方向の上方向の値が大、下方向の値が小である）。これにより第二ブラケット２は、枢支ピン２４を中心として反時計方向に回動する。
【００４２】
また、図３（ｂ）状態から更に背凭れ部を起伏させると、第１ブラケット１に対して回動可能に連結された第一中間部材５は枢支ピン１３を中心に反時計周りに回動し、第一中間部材５に対して固定されている中間ブラケット２も同様に回動し、また、第一中間部材５に対して回動可能に連結された第二ブラケット２も同様に回動する。また、第１ブラケット１に対して回動可能に連結された第二中間部材６も枢支ピン１４を中心に反時計周りに回動し、第二連結バー６に対して回動可能に連結された第二ブラケット２も同様に回動する。
【００４３】
この回動に従って第二ブラケット２に形成された係止ピン２５が係止部材４のピン係合溝４１ｂに嵌まり込んで係止し、回動角度が保持される。係止部材４はバネＳにより枢支ピン４１を中心として時計回り方向に付勢されており、係止部材４のピン係合溝４１ｂは係止ピン２５に対して圧着すると共に、復帰ガイド爪４３ｂによって挟持される。
【００４４】
また、この回動に従って、図３（ｂ）に示す第二ブラケット２における枢支ピン２４と枢支ピン２３の位置関係は斜方向に並列する関係にあるのに対して（ＸＹ座標系において、枢支ピン２３が（Ｘｄ・Ｙｅ）であり、枢支ピン２４が（Ｘｄ−ｆ・Ｙｅ＋ｇ）であるのに対して）、図３（ｃ）においては、第二ブラケット２における枢支ピン２４と枢支ピン２３の位置関係は水平方向に並列する関係にある（ＸＹ座標系において、枢支ピン２３が（Ｘｈ・Ｙｉ）（但し、Ｘｄ＞Ｘｈ，Ｙｅ＜Ｙｉ）であり、枢支ピン２４が（Ｘｈ−ｊ・Ｙｉ＋ｋ）（但し、Ｘｈ−ｊ＜Ｘｄ−ｆ、Ｙｅ＋ｇ＜Ｙｉ＋ｋ）。これにより第二ブラケット２は、枢支ピン２４を中心として反時計方向に回動している。
【００４５】
次に、図４、５を参照して、ソファー状態からベッド状態へ移行する動作を示す。
【００４６】
図３（ｃ）の状態において、反時計回り方向に第二ブラケット２を回動させると、図４（ａ）のように、係止ピン２５がピン係合溝４１ｂから離脱して係止状態が解除される。この図４（ａ）の状態から第二ブラケット２を時計回りに回動させてゆくと、係止ピン２５は順次復帰ガイド爪４３を押圧して回動させるため、ピン係合溝４１は係止ピン２５が嵌らないように閉塞される。そのため、係止ピン２５はピン係合溝４１を順次超えてゆき（図４（ｂ）、図５（ｃ））、図５（ｄ）に示すベッド状態に移行する。
【００４７】
次に、図７，８を参照して、第一中間部材５及び第二中間部材６の長さ調整を説明する。長さを短くしたものが図８、長くしたものが図９である。図１に示す調整用の孔５２、６２のうち、図１中の左側の孔に固定ピン５３、６４を挿入固定すれば、第一連結バー５及び第二連結バー６は短くなり、また、図１中の右側の孔に固定ピン５３、６４を挿入固定すれば、第一連結バー５及び第二連結バー６は長くなる。
【００４８】
この長さ調整により、ソファーベッドの各種の大きさに対応できるため、汎用性の高い起伏装置を構成することができる。
【００４９】
なお、中間部材は、部材ａ及び部材ｂのように分割されたものに限らず、一体的に形成されたものでも良い。なお、中間ブラケット３は必ずしも必要ではない。
【図面の簡単な説明】
【００５０】
【図１】本考案の起伏装置Ｒの分解図
【図２】本考案の起伏装置Ｒの斜視図
【図３】本考案の起伏装置Ｒの起伏動作を示す図（正面側）
【図４】本考案の起伏装置Ｒの倒伏動作を示す図
【図５】本考案の起伏装置Ｒの倒伏動作を示す図
【図６】本考案の起伏装置Ｒの起伏動作を示す図（背面側）
【図７】本考案の起伏装置Ｒの長さを調整した図
【図８】本考案の起伏装置Ｒの長さを調整した図
【図９】本考案の起伏装置Ｒを用いたソファーベットを示す図
【図１０】本考案の起伏装置Ｒを用いたソファーベットを示す図
【図１１】従来例を示す図
【符号の説明】
【００５１】
Ａ  固定枠
Ｂ  
Ｃ  起伏枠
１  第１ブラケット１
２  第２ブラケット２
４  係止部材
５  中間部材５
６  中間部材６
１３  枢支ピン
１４  枢支ピン
【図１】
0003149180.tif 000003
【図２】
0003149180.tif 000004
【図３】
0003149180.tif 000005
【図４】
0003149180.tif 000006
【図５】
0003149180.tif 000007
【図６】
0003149180.tif 000008
【図７】
0003149180.tif 000009
【図８】
0003149180.tif 000010
【図９】
0003149180.tif 000011
【図１０】
0003149180.tif 000012
【図１１】
0003149180.tif 000013